(57)【要約】      （修正有）【課題】組み立てが簡単となるとともに、ＰＤＰモジュールの交換が容易となるＰＤＰ表示装置を提供する。【解決手段】ＰＤＰモジュール１０を保持するとともに映像信号処理回路が装着された基板３６が背面に取り付けられるモジュール保持体２０を備えており、ＰＤＰモジュール１０の上下端にはレール部材１４が設けられており、モジュール保持体２０には、その一側部からＰＤＰモジュール１０を挿入可能でかつ上下部にＰＤＰモジュール１０のレール部材１４を案内するためのレール部材案内凹所２１ａを有する前方開口のモジュール収納用凹所２１が形成されており、ＰＤＰモジュール１０は、モジュール保持体２０のモジュール収納用凹所２１にモジュール保持体２０の一側部から挿入されて収納された状態で、モジュール保持体２０に取り付けられている。【選択図】  図３
2004233721.tif 000002
【特許請求の範囲】
【請求項１】
ＰＤＰモジュールを保持するとともに映像信号処理回路が装着された基板が背面に取り付けられるモジュール保持体を備えており、ＰＤＰモジュールの上下端にはレール部材が設けられており、モジュール保持体には、その一側部からＰＤＰモジュールを挿入可能でかつ上下部にＰＤＰモジュールのレール部材を案内するためのレール部材案内凹所を有する前方開口のモジュール収納用凹所が形成されており、ＰＤＰモジュールは、モジュール保持体のモジュール収納用凹所にモジュール保持体の一側部から挿入されて収納された状態で、モジュール保持体に取り付けられているＰＤＰ表示装置。
【発明の詳細な説明】
【０００１】
【発明の属する技術分野】
この発明は、ＰＤＰ（プラズマディスプレイパネル）表示装置に関する。
【０００２】
【従来の技術】
従来のＰＤＰ表示装置では、プラズマディスプレイパネルモジュール（ＰＤＰモジュール）をその背面が上側になるようにして横に寝かせ、ＰＤＰモジュールの背面に基板取付具をネジ止めした後、映像信号処理回路が実装された基板を基板取付具に取り付けていた。
【０００３】
このため、ＰＤＰモジュールがなければ、映像信号処理回路が実装された基板の取付けを行うことができなかった。また、ＰＤＰモジュールを交換する場合には、映像信号処理回路が実装された基板および基板取付具を、ＰＤＰモジュールから取り外す必要があり、その交換作業が面倒であった。
【０００４】
【発明が解決しようとする課題】
この発明は、組み立てが簡単となるとともに、ＰＤＰモジュールの交換が容易となるＰＤＰ表示装置を提供することを目的とする。
【０００５】
【課題を解決するための手段】
請求項１に記載の発明は、ＰＤＰモジュールを保持するとともに映像信号処理回路が装着された基板が背面に取り付けられるモジュール保持体を備えており、ＰＤＰモジュールの上下端にはレール部材が設けられており、モジュール保持体には、その一側部からＰＤＰモジュールを挿入可能でかつ上下部にＰＤＰモジュールのレール部材を案内するためのレール部材案内凹所を有する前方開口のモジュール収納用凹所が形成されており、ＰＤＰモジュールは、モジュール保持体のモジュール収納用凹所にモジュール保持体の一側部から挿入されて収納された状態で、モジュール保持体に取り付けられていることを特徴とする。
【０００６】
【発明の実施の形態】
以下、図面を参照して、この発明の実施の形態について説明する。
【０００７】
図１は、ＰＤＰモジュールの構成を示している。
【０００８】
ＰＤＰモジュール１０は、プラズマディスプレイパネル（ＰＤＰ）１１、ＰＤＰ１１の前面に設けられたガラス板１２およびＰＤＰ１１の背面に設けられかつパネル駆動用回路が実装された基板１３を備えている。ＰＤＰ１１の上端部および下端部には、ほぼ全長にわたってレール部材１４が取り付けられている。レール部材１４の所要箇所には、背面側からネジ孔（図示略）が形成されている。
【０００９】
図２および図３は、ＰＤＰ表示装置の構成を示している。図２はＰＤＰ表示装置の正面を表しており、図３はＰＤＰ表示装置の側断面を表している。
【００１０】
ＰＤＰ表示装置は、ＰＤＰモジュール１０を保持するための断面略コ字形のモジュール保持体２０を備えている。モジュール保持体２０には、前方が開口しているとともに、一側部が開口しているモジュール収納用凹所２１を有している。モジュール収納用凹所２１は、その上端部および下端部に、ＰＤＰモジュール１０のレール部材１４を案内するためのレール部材案内凹所２１ａを有している。
【００１１】
ＰＤＰモジュール１０は、モジュール保持体２０に一側部から、レール部材１４がレール部材案内凹所２１ａに嵌まるようにして押し込まれることにより、モジュール保持体２０のモジュール収納用凹所２１に収納されている。
【００１２】
モジュール保持体２０におけるレール部材案内凹所２１ａの後壁には、ＰＤＰモジュール１０がモジュール収納用凹所２１に収納された状態において、レール部材１４のネジ孔に合致するネジ孔が形成されており、それらのネジ孔にモジュール保持体２０の背面側からねじ３１がねじ込まれることにより、ＰＤＰモジュール１０がモジュール保持体２０に固定されている。
【００１３】
モジュール保持体２０の前側には、モジュール収納用凹所２１の前面開口を閉鎖するように前面ガラス３２が配されている。この前面ガラス３２は、モジュール保持体２０の前面に取り付けられるガラス押さえ３３によって、モジュール保持体２０に取り付けられている。
【００１４】
また、モジュール保持体２０の前面の周囲を覆うように、前面フレーム３４が配されている。この前面フレーム３４は、モジュール保持体２０の上端面および下端面に取り付けられた接続金具３５を介して、モジュール保持体２０に取り付けられている。
【００１５】
モジュール保持体２０の背面には、映像信号処理回路が実装された基板３６が取り付けられている。また、映像信号処理回路が実装された基板３６を覆うための背面カバー３７が、図示しない取付部材を介してモジュール保持体２０に取り付けられている。
【００１６】
上記ＰＤＰ表示装置では、映像信号処理回路が実装された基板３６をモジュール保持体２０に先に取り付けておいてから、モジュール保持体２０内にＰＤＰモジュール１０を挿入することができる。このため、ＰＤＰモジュール１０がなくても、映像信号処理回路が実装された基板３６をモジュール保持体２０に取り付けておくことができるので、組み立てが簡単となる。
【００１７】
また、ＰＤＰモジュール１０の取外しは、ねじ３１を外して、ＰＤＰモジュール１０をモジュール保持体２０内から引出せばよいから、ＰＤＰモジュール１０の交換作業も簡単となる。
【００１８】
【発明の効果】
この発明によれば、組み立てが簡単となるとともに、ＰＤＰモジュールの交換が容易となる。
【図面の簡単な説明】
【図１】ＰＤＰモジュールの構成を示す側断面図である。
【図２】ＰＤＰ表示装置を示す正面図である。
【図３】ＰＤＰ表示装置を示す側断面図である。
【符号の説明】
１０  ＰＤＰモジュール
１４  レール部材
２０  モジュール保持体
２１  モジュール収納用凹所２１
２１ａ  レール部材案内凹所
３１  ねじ
３２  前面ガラス
３３  ガラス押さえ
３４  前面フレーム
３５  接続金具
３６  映像信号処理回路が実装された基板
３７  背面カバー
【図１】
2004233721.tif 000003
【図２】
2004233721.tif 000004
【図３】
2004233721.tif 000005